(57)【要約】【課題】内部に配置された電気部品に水が到達することを防止する屋外機器筐体を得ること。【解決手段】屋外機器筐体１は、底部２２を持つ筐体２と、筐体２の内部に位置する電気部品取付板３と、筐体２の内部に位置する台座部４とを有する。電気部品取付板３は、筐体２の底部２２がひとつの水平面に接して筐体２が当該ひとつの水平面の上に置かれた状態において、鉛直方向ｚと直交する第１の方向ｘにおいて傾斜すると共に鉛直方向ｚ及び第１の方向ｘと直交する第２の方向ｙにおいて傾斜する板である。台座部４は、上記の状態において電気部品取付板３の上に位置すると共に上記の状態において電気部品取付板３に最も近い部位より上方に位置する天面４１を含む。【選択図】図１
2018121026.tif 000002
【特許請求の範囲】
【請求項１】
底部を有する筐体と、
前記筐体の内部に位置する電気部品取付板と、
前記筐体の内部に位置する台座部とを備え、
前記電気部品取付板は、前記筐体の前記底部がひとつの水平面に接して前記筐体が前記ひとつの水平面の上に置かれた状態において、鉛直方向と直交する第１の方向において傾斜すると共に前記鉛直方向及び前記第１の方向と直交する第２の方向において傾斜する板であり、
前記台座部は、前記状態において前記電気部品取付板の上に位置すると共に前記状態において前記電気部品取付板に最も近い部位より上方に位置する天面を有する
ことを特徴とする屋外機器筐体。
【請求項２】
前記台座部は、前記電気部品取付板のひとつの平面に接しており、
前記台座部の前記ひとつの平面に接している面は、前記ひとつの平面より小さく、
前記台座部は、前記状態において前記ひとつの平面の最も低い部位より高い場所に位置し、
前記電気部品取付板の前記ひとつの平面には、前記状態において前記最も低い部位と前記台座部が接している部位との間に位置すると共に凹である集水トラップがあり、
前記電気部品取付板には、前記集水トラップと連続すると共に、前記状態において前記鉛直方向に前記電気部品取付板を貫通する孔がある
ことを特徴とする請求項１に記載の屋外機器筐体。
【請求項３】
前記電気部品取付板の前記孔と連続する管を更に備え、
前記管は、前記孔から前記筐体の前記底部の側に伸びている
ことを特徴とする請求項２に記載の屋外機器筐体。
【請求項４】
前記管は、前記孔から前記筐体の外部に伸びている
ことを特徴とする請求項３に記載の屋外機器筐体。
【請求項５】
前記電気部品取付板と前記台座部と前記管との組を更に１個又は複数個備え、
複数個の前記電気部品取付板の各々の前記孔は、前記状態においてひとつの鉛直線の上に位置する
ことを特徴とする請求項３に記載の屋外機器筐体。
【発明の詳細な説明】
【技術分野】
【０００１】
本発明は、電気部品を覆うと共に屋外に配置される屋外機器筐体に関する。
【背景技術】
【０００２】
従来の屋外機器筐体は複数のカバーを有しており、カバーの内側には防水パッキンが設けられている（例えば、特許文献１又は特許文献２参照）。従来の屋外機器筐体は、防水パッキンにより筐体の外部から内部への水の浸入を防止し、筐体の内部に配置された電気部品が濡れることを防止する。
【先行技術文献】
【特許文献】
【０００３】
【特許文献１】特開２００１−１５９３９号公報
【特許文献２】特許第２９２６５８８号公報
【発明の概要】
【発明が解決しようとする課題】
【０００４】
しかしながら、従来の屋外機器筐体では、防水パッキンが経年劣化した場合又は防水パッキンが適切に取り付けられていない場合、水が筐体の外部から内部に浸入することがある。水が筐体の内部に浸入して筐体の内部に配置された電気部品に到達すると、電気部品は濡れる。電気部品は、濡れると故障する可能性がある。
【０００５】
本発明は、上記に鑑みてなされたものであって、内部に配置された電気部品に水が到達することを防止する屋外機器筐体を得ることを目的とする。
【課題を解決するための手段】
【０００６】
上述した課題を解決し、目的を達成するために、本発明は、底部を持つ筐体と、前記筐体の内部に位置する電気部品取付板と、前記筐体の内部に位置する台座部とを有し、前記電気部品取付板は、前記筐体の前記底部がひとつの水平面に接して前記筐体が前記ひとつの水平面の上に置かれた状態において、鉛直方向と直交する第１の方向において傾斜すると共に前記鉛直方向及び前記第１の方向と直交する第２の方向において傾斜する板であり、前記台座部は、前記状態において前記電気部品取付板の上に位置すると共に前記状態において前記電気部品取付板に最も近い部位より上方に位置する天面を含むことを特徴とする。
【発明の効果】
【０００７】
本発明は、内部に配置された電気部品に水が到達することを防止することができるという効果を奏する。
【図面の簡単な説明】
【０００８】
【図１】実施の形態１にかかる屋外機器筐体の分解斜視図
【図２】実施の形態１にかかる屋外機器筐体の一部の斜視図
【図３】第１の方向において屋外機器筐体の外部のある場所から屋外機器筐体の内部の向きに見た場合の実施の形態１にかかる屋外機器筐体の一部の側面図
【図４】第２の方向において屋外機器筐体の外部のある場所から屋外機器筐体の内部の向きに見た場合の実施の形態１にかかる屋外機器筐体の一部の正面図
【図５】実施の形態２にかかる屋外機器筐体の分解斜視図
【図６】実施の形態３にかかる屋外機器筐体の分解斜視図
【図７】実施の形態４にかかる屋外機器筐体の分解斜視図
【図８】実施の形態５にかかる屋外機器筐体の一部の斜視図
【図９】実施の形態１にかかる屋外機器筐体の第１の変形例の一部の斜視図
【図１０】実施の形態１にかかる屋外機器筐体の第２の変形例の一部の斜視図
【発明を実施するための形態】
【０００９】
以下に、本発明の実施の形態にかかる屋外機器筐体を図面に基づいて詳細に説明する。なお、この実施の形態によりこの発明が限定されるものではない。
【００１０】
実施の形態１．
図１は、実施の形態１にかかる屋外機器筐体１の分解斜視図である。屋外機器筐体１は、筐体２を有する。筐体２は、直方体の各辺を構成するフレーム２１と、底部２２とを有する。底部２２は、４個の脚２３ａ−２３ｄを有する。筐体２は、天面カバー２４を更に有する。天面カバー２４は、筐体２の底部２２がひとつの水平面に接して筐体２が当該ひとつの水平面の上に置かれた状態において、フレーム２１により支持される。以下では、筐体２の底部２２がひとつの水平面に接して筐体２が当該ひとつの水平面の上に置かれた状態を「配置状態」と記載する。当該ひとつの水平面の一例は、水平な地面である。
【００１１】
配置状態において、鉛直方向ｚと直交するひとつの方向を「第１の方向ｘ」と定義すると共に、鉛直方向ｚ及び第１の方向ｘと直交する方向を「第２の方向ｙ」と定義する。筐体２は、配置状態において、フレーム２１の第２の方向ｙにおける一方の側を覆う正面カバー２５と、フレーム２１の第２の方向ｙにおける他方の側を覆う背面カバー２６と、フレーム２１の下方側を覆う底面カバー２７と、フレーム２１の第１の方向ｘにおける一方の側を覆う右側面カバー２８と、フレーム２１の第１の方向ｘにおける他方の側を覆う左側面カバー２９とを更に有する。
【００１２】
図１に示す通り、天面カバー２４は、矢印２４ａの向きでフレーム２１に取り付けられてフレーム２１の一部を覆う。同様に、正面カバー２５、背面カバー２６、底面カバー２７、右側面カバー２８及び左側面カバー２９の各々は、矢印２５ａ、矢印２６ａ、矢印２７ａ、矢印２８ａ及び矢印２９ａのいずれかの向きでフレーム２１に取り付けられてフレーム２１の一部を覆う。
【００１３】
筐体２は、フレーム２１と天面カバー２４との間に位置するパッキン３０ａと、フレーム２１と正面カバー２５との間に位置するパッキン３０ｂと、フレーム２１と背面カバー２６との間に位置するパッキン３０ｃと、フレーム２１と底面カバー２７との間に位置するパッキン３０ｄと、フレーム２１と右側面カバー２８との間に位置するパッキン３０ｅと、フレーム２１と左側面カバー２９との間に位置するパッキン３０ｆとを更に有する。
【００１４】
フレーム２１の内部は、天面カバー２４とパッキン３０ａとの組と、正面カバー２５とパッキン３０ｂとの組と、背面カバー２６とパッキン３０ｃとの組と、底面カバー２７とパッキン３０ｄとの組と、右側面カバー２８とパッキン３０ｅとの組と、左側面カバー２９とパッキン３０ｆとの組とによって、閉じた空間になっている。底部２２は、配置状態において、フレーム２１、天面カバー２４、正面カバー２５、背面カバー２６、底面カバー２７、右側面カバー２８、左側面カバー２９及びパッキン３０ａ−３０ｆが組み合わされたものを支持する。
【００１５】
屋外機器筐体１は、筐体２の内部に位置する電気部品取付板３を更に有する。電気部品取付板３は、配置状態において、鉛直方向ｚと直交する第１の方向ｘにおいて傾斜すると共に鉛直方向ｚ及び第１の方向ｘと直交する第２の方向ｙにおいて傾斜する板である。電気部品取付板３は、フレーム２１によって支持されている。
【００１６】
屋外機器筐体１は、筐体２の内部に位置する台座部４を更に有する。台座部４は、配置状態において電気部品取付板３の上に位置すると共に、配置状態において電気部品取付板３に最も近い部位より上方に位置する天面４１を有する。具体的には、台座部４は、電気部品取付板３のひとつの平面３１に接しており、その場合、上記の電気部品取付板３に最も近い部位は、台座部４の当該ひとつの平面３１に接している面４２である。台座部４の当該ひとつの平面３１に接している面４２は、当該ひとつの平面３１より小さい。例えば、天面４１は、配置状態において水平な面である。更に言うと、台座部４は、配置状態において、当該ひとつの平面３１の最も低い部位より高い場所に位置している。配置状態において、電気部品５が台座部４の天面４１の上に置かれる。
【００１７】
電気部品取付板３のひとつの平面３１には、配置状態において最も低い部位と台座部４が接している部位との間に位置すると共に凹である集水トラップ３２がある。具体的には、集水トラップ３２は、配置状態において電気部品取付板３の最も低い部位と台座部４との間に位置しているすり鉢状の凹である。電気部品取付板３には、集水トラップ３２と連続すると共に配置状態において鉛直方向ｚに電気部品取付板３を貫通する孔３３がある。具体的には、配置状態において孔３３の最も上方の部位は集水トラップ３２の底部に位置している。屋外機器筐体１は、電気部品取付板３の孔３３と連続する管６を更に有する。底面カバー２７には管６を通す孔２７ｂが形成されており、管６は、孔２７ｂを通り、孔３３から筐体２の底部２２の側の外部に伸びている。
【００１８】
図２は、実施の形態１にかかる屋外機器筐体１の一部の斜視図である。具体的には、図２は、屋外機器筐体１が有する電気部品取付板３、台座部４及び管６の斜視図である。図３は、第１の方向ｘにおいて屋外機器筐体１の外部のある場所から屋外機器筐体１の内部の向きに見た場合の実施の形態１にかかる屋外機器筐体１の一部の側面図である。図４は、第２の方向ｙにおいて屋外機器筐体１の外部のある場所から屋外機器筐体１の内部の向きに見た場合の実施の形態１にかかる屋外機器筐体１の一部の正面図である。図２、図３及び図４では、フレーム２１の一部及び底部２２は二点鎖線により示されている。図２、図３及び図４では、電気部品５も示されている。
【００１９】
電気部品取付板３を再度説明する。図２、図３及び図４に示す通り、電気部品取付板３は、配置状態において、鉛直方向ｚと直交する第１の方向ｘにおいて傾斜すると共に鉛直方向ｚ及び第１の方向ｘと直交する第２の方向ｙにおいて傾斜する板である。
【００２０】
上述の通り、実施の形態１にかかる屋外機器筐体１では、電気部品取付板３は、配置状態において、鉛直方向ｚと直交する第１の方向ｘ及び第２の方向ｙの各々において傾斜する。台座部４は、配置状態において電気部品取付板３の上に位置すると共に、配置状態において電気部品取付板３に最も近い部位より上方に位置する天面４１を有する。電気部品５は、配置状態において天面４１の上に置かれる。
【００２１】
そのため、パッキン３０ａ−３０ｆの一部又は全部が経年劣化したことにより、又はパッキン３０ａ−３０ｆの一部又は全部が適切に取り付けられていないことにより、配置状態において、水が筐体２の外部から内部に浸入して筐体２の内部の一部に伝って電気部品取付板３のひとつの平面３１に到達しても、水は天面４１を通ることなく当該ひとつの平面３１の最も低い部位に向かって流れる。
【００２２】
筐体２の内部において結露が発生し、配置状態において、結露による水が筐体２の内部の一部を伝って電気部品取付板３のひとつの平面３１に到達しても、水は天面４１を通ることなく当該ひとつの平面３１の最も低い部位に向かって流れる。つまり、水は台座部４に置かれた電気部品５に到達しない。したがって、実施の形態１にかかる屋外機器筐体１は、内部に配置された電気部品５に水が到達することを防止することができる。更に言うと、屋外機器筐体１は、電気部品５が濡れることを防止することができる。
【００２３】
加えて、実施の形態１にかかる屋外機器筐体１の電気部品取付板３には、集水トラップ３２及び孔３３が形成されている。そのため、屋外機器筐体１は、配置状態において、電気部品取付板３のひとつの平面３１の最も低い部位に向かって流れた水を電気部品取付板３より下方に排出することができる。すなわち、屋外機器筐体１は、内部に配置された電気部品５に水が到達する事態をより生じにくくさせることができる。
【００２４】
さらに、実施の形態１にかかる屋外機器筐体１は電気部品取付板３の孔３３と連続する管６を更に有し、管６は孔３３から筐体２の底部２２の側に伸びている。そのため、屋外機器筐体１は、内部に配置された電気部品５に水が到達する事態をより生じにくくさせることができる。更に言うと、管６は孔３３から筐体２の外部に伸びている。そのため、屋外機器筐体１は、配置状態において、電気部品取付板３のひとつの平面３１の最も低い部位に向かって流れた水を、管６を通して筐体２の外部に排出することができる。すなわち、屋外機器筐体１は、内部に配置された電気部品５に水が到達する事態をより生じにくくさせることができる。
【００２５】
実施の形態２．
図５は、実施の形態２にかかる屋外機器筐体１Ａの分解斜視図である。実施の形態１にかかる屋外機器筐体１では、正面カバー２５、背面カバー２６、底面カバー２７、右側面カバー２８及び左側面カバー２９の各々は、別個の構造物である。他方、屋外機器筐体１Ａは、正面カバー２５、背面カバー２６、底面カバー２７、右側面カバー２８及び左側面カバー２９が一体になったケース７を有する。
【００２６】
実施の形態２にかかる屋外機器筐体１Ａと実施の形態１にかかる屋外機器筐体１との相違点のひとつは、屋外機器筐体１Ａが正面カバー２５、背面カバー２６、底面カバー２７、右側面カバー２８及び左側面カバー２９の代わりにケース７を有する点である。そのため、屋外機器筐体１Ａも、内部に配置された電気部品５に水が到達することを防止することができる。
【００２７】
加えて、実施の形態２にかかる屋外機器筐体１Ａはパッキン３０ｂ−３０ｆを有さない。つまり、屋外機器筐体１Ａの筐体２を構成する要素の個数は、実施の形態１にかかる屋外機器筐体１の筐体２を構成する要素の個数より少ない。そのため、屋外機器筐体１Ａは、屋外機器筐体１より組立の工数及びコストを削減することができる。
【００２８】
実施の形態３．
図６は、実施の形態３にかかる屋外機器筐体１Ｂの分解斜視図である。実施の形態２にかかる屋外機器筐体１Ａはフレーム２１を有するが、屋外機器筐体１Ｂはフレーム２１を有さない。屋外機器筐体１Ｂと屋外機器筐体１Ａとの相違点は、屋外機器筐体１Ｂがフレーム２１を有さない点である。そのため、屋外機器筐体１Ｂも、内部に配置された電気部品５に水が到達することを防止することができる。加えて、屋外機器筐体１Ｂの筐体２を構成する要素の個数は、屋外機器筐体１Ａの筐体２を構成する要素の個数より少ない。そのため、屋外機器筐体１Ｂは、屋外機器筐体１Ａより組立の工数及びコストを削減することができる。
【００２９】
実施の形態４．
図７は、実施の形態４にかかる屋外機器筐体１Ｃの分解斜視図である。屋外機器筐体１Ｃは、実施の形態１にかかる屋外機器筐体１が有する底面カバー２７の代わりに、複数の開口２７ｃがある底面カバー２７ｄを有する。加えて、屋外機器筐体１Ｃは、屋外機器筐体１が有する管６を有さない。
【００３０】
屋外機器筐体１Ｃでは、配置状態において、水が電気部品取付板３のひとつの平面３１に到達すると、水は当該ひとつの平面３１の最も低い部位に向かって流れ、電気部品取付板３の孔３３から底面カバー２７ｄに落ちる。底面カバー２７ｄには複数の開口２７ｃが形成されているので、孔３３から底面カバー２７ｄに落ちた水は、開口２７ｃを通って筐体２の外部に排出される。すなわち、屋外機器筐体１Ｃは、管６を有することなく水を筐体２の外部に排出することができる。
【００３１】
実施の形態５．
図８は、実施の形態５にかかる屋外機器筐体１Ｄの一部の斜視図である。屋外機器筐体１Ｄは、実施の形態１にかかる屋外機器筐体１が有する電気部品取付板３を２個有すると共に、屋外機器筐体１が有する台座部４を４個有する。具体的には、配置状態において、屋外機器筐体１Ｄは、上段に配置された電気部品取付板３と、下段に配置された電気部品取付板３とを有する。
【００３２】
上段の電気部品取付板３の集水トラップ３２の底に形成された孔３３と下段の電気部品取付板３の集水トラップ３２の底に形成された孔３３とは、配置状態においてひとつの鉛直線の上に位置する。屋外機器筐体１Ｄは、さらに、実施の形態１にかかる屋外機器筐体１が有する管６を２個有する。上段の電気部品取付板３の孔３３と連続する管６は、下段の電気部品取付板３の集水トラップ３２に届くことなく下段の電気部品取付板３の集水トラップ３２の向きに伸びている。下段の電気部品取付板３の孔３３と連続する管６は、筐体２の底部２２の側の外部に伸びている。２個の管６の各々の中心軸は、上記のひとつの鉛直線の上に位置する。図８では、フレーム２１の一部及び底部２２は二点鎖線により示されている。
【００３３】
配置状態において、屋外機器筐体１Ｄは、上段の電気部品取付板３の上に並べて配置された２個の台座部４と、下段の電気部品取付板３の上に並べて配置された２個の台座部４とを有する。配置状態において、４個の台座部４の各々の上に、１個の電気部品５が配置されている。
【００３４】
屋外機器筐体１Ｄでは、配置状態において、上段の電気部品取付板３のひとつの平面３１に到達した水は、当該ひとつの平面３１の最も低い部位に向かって流れ、上段の電気部品取付板３の孔３３から管６に流れる。下段の電気部品取付板３のひとつの平面３１に到達した水も、当該ひとつの平面３１の最も低い部位に向かって流れ、下段の電気部品取付板３の孔３３から管６に流れる。管６は筐体２の底部２２の側の外部に伸びている。そのため、上段及び下段の電気部品取付板３のそれぞれの孔３３から管６に移動した水は、下段の電気部品取付板３の孔３３と連続する管６を通って筐体２の外部に流れる。すなわち、屋外機器筐体１Ｄは、内部に配置された電気部品５に水が到達する事態をより生じにくくさせることができる。なお、下段の電気部品取付板３の孔３３と連続する管６は、筐体２の底部２２の側の外部まで伸びていなくてもよい。
【００３５】
上述した実施の形態５では、屋外機器筐体１Ｄは２個の電気部品取付板３を有するが、屋外機器筐体１Ｄは３個以上の電気部品取付板３を有してもよい。更に言うと、屋外機器筐体１Ｄは、実施の形態１にかかる屋外機器筐体１が有する電気部品取付板３と台座部４との組を３個以上有してもよい。その場合、複数個の電気部品取付板３の各々の孔３３は、配置状態において、ひとつの鉛直線の上に位置することが好ましく、屋外機器筐体１Ｄは電気部品取付板３の個数と同じ個数の管６を有することが好ましい。つまり、屋外機器筐体１Ｄは、電気部品取付板３と台座部４と管６との組を３個以上有してもよく、複数個の電気部品取付板３の各々の孔３３は配置状態においてひとつの鉛直線の上に位置することが好ましい。更に言うと、配置状態において最も下方に位置する電気部品取付板３の孔３３と連続する管６は、筐体２の外部まで、例えば筐体２の底部２２の側の外部まで伸びていてもよい。
【００３６】
また、上述した各実施の形態では、配置状態において、１個の台座部４の上に１個の電気部品５が配置されている。しかしながら、配置状態において、１個の台座部４の上に２個の電気部品５が配置されてもよい。図９は、実施の形態１にかかる屋外機器筐体１の第１の変形例の一部の斜視図であって、配置状態において１個の台座部４の上に２個の電気部品５が配置されている状況を示している。図９では、フレーム２１の一部及び底部２２は二点鎖線により示されている。図９に示す屋外機器筐体１の第１の変形例も、内部に配置された電気部品５に水が到達することを防止することができる。図９では、配置状態において、１個の台座部４の上に２個の電気部品５が配置されているが、１個の台座部４の上に３個以上の電気部品５が配置されてもよい。
【００３７】
また、上述した実施の形態１から４までの各々では、配置状態において、１個の電気部品取付板３の上に１個の台座部４が配置されている。しかしながら、配置状態において、１個の電気部品取付板３の上に２個の台座部４が配置されてもよい。図１０は、実施の形態１にかかる屋外機器筐体１の第２の変形例の一部の斜視図であって、配置状態において１個の電気部品取付板３の上に２個の台座部４が配置されている状況を示している。図１０では、フレーム２１の一部及び底部２２は二点鎖線により示されている。図１０に示す屋外機器筐体１の第２の変形例も、内部に配置された電気部品５に水が到達することを防止することができる。図１０では、配置状態において、１個の電気部品取付板３の上に２個の台座部４が配置されているが、１個の電気部品取付板３の上に３個以上の台座部４が配置されてもよい。
【００３８】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００３９】
１，１Ａ，１Ｂ，１Ｃ，１Ｄ  屋外機器筐体、２  筐体、３  電気部品取付板、４  台座部、５  電気部品、６  管、２１  フレーム、２２  底部、２３ａ，２３ｂ，２３ｃ，２３ｄ  脚、２４  天面カバー、２５  正面カバー、２６  背面カバー、２７，２７ｄ  底面カバー、２８  右側面カバー、２９  左側面カバー、３０ａ，３０ｂ，３０ｃ，３０ｄ，３０ｅ，３０ｆ  パッキン、３２  集水トラップ、３３  孔、４１  天面。
【図１】
2018121026.tif 000003
【図２】
2018121026.tif 000004
【図３】
2018121026.tif 000005
【図４】
2018121026.tif 000006
【図５】
2018121026.tif 000007
【図６】
2018121026.tif 000008
【図７】
2018121026.tif 000009
【図８】
2018121026.tif 000010
【図９】
2018121026.tif 000011
【図１０】
2018121026.tif 000012